(57)【要約】【課題】  電話帳転送機能を行う際のセキュリティーは確保しつつ、機器登録にかかるユーザ操作を削減することができる無線通信端末を提供する。【解決手段】  電話帳を保持している無線通信端末が電話帳転送機能を有するハンズフリー装置から電話帳転送機能のためのセッション確立の要求を受信したときに、そのハンズフリー装置についてハンズフリー機能についての機器登録がされていなければ、電話帳転送機能のためのセッション確立の要求を受け入れない。【選択図】  図５
2010109929.tif 000002
【特許請求の範囲】
【請求項１】
近距離無線通信によってデータを送受信する無線通信手段と、
基地局を介して電話通信を行う電話通信手段と、
前記電話通信手段による電話通信を制御可能とするためのハンズフリー接続確立の要求を受信すると、ハンズフリー接続確立可能な機器からの要求であれば前記無線通信手段によるハンズフリー接続を確立するハンズフリー制御手段と、
電話帳を記憶する記憶手段と、
前記無線通信手段によって前記記憶手段に記憶された電話帳データを転送するための電話帳転送接続の確立要求を受信すると、前記ハンズフリー制御手段による機器認証がされた機器からの電話帳転送接続の確立要求であれば、前記無線通信手段による電話帳転送接続を確立する電話帳転送制御手段とを有することを特徴とする無線通信端末。
【請求項２】
前記電話帳転送制御手段は、前記記憶手段に記憶された電話帳データを転送するための電話帳転送接続確立の要求を受信すると、前記ハンズフリー制御手段による機器認証がされてハンズフリー接続中の機器からの電話帳転送接続の確立要求であれば、前記無線通信手段による電話帳転送接続を確立することを特徴とする請求項１に記載の無線通信端末。
【請求項３】
近距離無線通信によってデータを送受信する無線通信手段と、
基地局を介して電話通信を行う電話通信手段と、
前記電話通信手段による電話通信を制御可能とするためのハンズフリー接続確立の要求を受信すると、ハンズフリー接続確立可能な機器からの要求であれば前記無線通信手段によるハンズフリー接続を確立するハンズフリー制御手段と、
電話帳を記憶する記憶手段と、
前記無線通信手段によって前記記憶手段に記憶された電話帳データを転送するための電話帳転送接続の確立要求を受信すると、前記ハンズフリー制御手段によって機器認証がされていない機器からの電話帳転送接続の確立要求であれば、電話帳転送接続の確立を拒否するよう制御する電話帳転送制御手段を有することを特徴とする無線通信端末。
【請求項４】
近距離無線通信によってデータを送受信する無線通信手段と、
基地局を介して電話通信を行う電話通信手段と、
前記電話通信手段による電話通信を制御可能とするためのハンズフリー接続確立の要求を受信すると、機器認証がされた機器からの要求であれば前記無線通信手段によるハンズフリー接続を確立するハンズフリー制御手段と、
電話帳を記憶する記憶手段と、
前記無線通信手段によって前記記憶手段に記憶された電話帳データを転送するための電話帳転送接続の確立要求を受信すると、前記ハンズフリー制御手段によってハンズフリー接続中ではない機器からの電話帳転送接続の確立要求であれば、電話帳転送接続の確立を拒否するよう制御する電話帳転送制御手段を有することを特徴とする無線通信端末。
【請求項５】
近距離無線通信によってデータを送受信する無線通信手段と、
基地局を介して電話通信を行う電話通信手段と、
前記電話通信手段による電話通信を制御可能とするためのハンズフリー接続確立の要求を受信すると、機器認証がされた機器からの要求であれば前記無線通信手段によるハンズフリー接続を確立するハンズフリー制御手段と、
電話帳データを記憶する記憶手段と、
前記ハンズフリー制御手段によってハンズフリー接続が確立されたときに、前記記憶手段に記憶された電話帳データを転送するための電話帳転送接続確立の要求を受け付ける待ち受け状態に移行し、この受け付け待ち状態のときに電話帳転送接続確立の要求を受信すると前記無線通信手段による電話帳転送接続を確立することを特徴とする電話帳転送制御手段を有することを特徴とする無線通信端末。
【請求項６】
前記無線通信手段よりも上位層のプロトコルを確立するときに機器認証を行う認証手段を更に有することを特徴とする請求項１乃至請求項５のいずれか１項に記載の無線通信端末。
【発明の詳細な説明】
【技術分野】
【０００１】
本発明は無線通信端末に関する。
【背景技術】
【０００２】
近年、無線通信を用いて近接したハンズフリー装置とハンズフリー機能を有する無線通信端末との間で電話帳のデータを転送する技術が知られている。例えば、Ｂｌｕｅｔｏｏｔｈ（登録商標）では、電話帳のデータを転送するためのプロファイルとして、ＰＢＡＰ（Phone Book Access Profile）が用いられる（例えば、特許文献１参照）。
【特許文献１】特開２００８−９８７６７号公報
【発明の開示】
【発明が解決しようとする課題】
【０００３】
ＰＢＡＰでは、電話帳データを転送するための基本的な手順のみが規定されており、実運用上で問題が起こるケースがある。例えば、ペアリングの問題がある。
【０００４】
車載機器などのハンズフリー装置は、ハンズフリー通話を実現するためのプロファイルであるＨＦＰ（Hands-Free Profile）および音声を伝送するためのプロファイルであるＡ２ＤＰ（Advanced Audio Distribution Profile）を搭載することが一般的になっている
。そして、ＨＦＰとＡ２ＤＰの両方のプロファイルが搭載されている場合、機器登録を行う際には、ＨＦＰとＡ２ＤＰの双方についてペアリングを実施する場合が多い。これは、例えばハンズフリー装置から対向機器に対して音楽再生を指示するときになって初めて対向機器がＡ２ＤＰをサポートしていないために要求エラーが発生することを避けるためである。車載機器がＨＦＰとＡ２ＤＰだけでなくＰＢＡＰも有効とする場合、ＰＢＡＰについてもペアリングを行う必要がある。ＰＢＡＰでは、車載機器から携帯電話機の中にある電話帳データの転送要求を送出する。このため、携帯電話機にとって電話帳データを転送する先の機器の認証を行うことは、セキュリティーの観点から非常に重要である。しかしながら、ＨＦＰとＡ２ＤＰだけでなくＰＢＡＰのペアリングも行うとなると、３回のペアリングを実行することになり、ユーザの手間が増大する。
【０００５】
そこで本発明は、電話帳転送機能を行う際のセキュリティーは確保しつつ、機器登録にかかるユーザ操作を削減することができる無線通信端末を提供することを目的とする。
【課題を解決するための手段】
【０００６】
上記目的を達成するために、本発明による無線通信端末は、近距離無線通信によってデータを送受信する無線通信手段と、基地局を介して電話通信を行う電話通信手段と、前記電話通信手段による電話通信を制御可能とするためのハンズフリー接続確立の要求を受信すると、ハンズフリー接続確立可能な機器からの要求であれば前記無線通信手段によるハンズフリー接続を確立するハンズフリー制御手段と、電話帳を記憶する記憶手段と、前記無線通信手段によって前記記憶手段に記憶された電話帳データを転送するための電話帳転送接続の確立要求を受信すると、前記ハンズフリー制御手段による機器認証がされた機器からの電話帳転送接続の確立要求であれば、前記無線通信手段による電話帳転送接続を確立する電話帳転送制御手段とを有することを特徴としている。
【発明の効果】
【０００７】
本発明によれば、電話帳転送機能を行う際のセキュリティーは確保しつつ、機器登録にかかるユーザ操作を削減することができる無線通信端末を提供することができる。
【発明を実施するための最良の形態】
【０００８】
以下、本発明の実施形態について図面を参照して説明する。ここでは、電話帳データを保持する携帯電話機から車載機器へ近距離無線によって電話帳を転送する場合を例として説明する。
【０００９】
図１は、本実施形態にかかる携帯電話機１とそれに無線接続する車載機器２との関係を示した図である。携帯電話機１は、Ｂｌｕｅｔｏｏｔｈなどの近距離無線通信によって車載機器２と情報の送受信ができる。
【００１０】
また、携帯電話機１は、基地局３、交換機４を介してネットワークに接続し、音声通信やデータ通信を行うことができる。また、携帯電話機１は、車載機器からの発信や車載機器での着信応答を可能とするためのハンズフリー制御手段を有しており、基地局３から受信した情報を近距離無線通信によって車載機器２へ転送することや、車載機器から受信した情報を基地局３へ送信することができる。
【００１１】
図２は、本実施形態にかかる携帯電話機の構成を示したブロック図である。携帯電話機１は、制御部５１、操作部５２、表示部５３、音声入出力部５４、無線電話通信部５５、記憶部５６、近距離無線通信部５７、ハンズフリー制御部５８、電話帳転送制御部５９を有する。
【００１２】
制御部５１は、ＣＰＵ、ＲＯＭ、ＲＡＭなどから構成され、携帯電話機１全体の制御を行う。
【００１３】
操作部５２は、操作キーまたはタッチパッド、タッチパネルなどから構成され、ユーザの操作に応じた信号を制御部５１に入力する。
【００１４】
表示部５３は、液晶ディスプレイや有機ＥＬディスプレイなどによって構成され、制御部５１の制御に応じて文字や画像を表示する。
【００１５】
音声入出力部５４は、スピーカおよびマイクロホンから成り、無線電話通信部５５によって通信される音声の入出力や音楽コンテンツや動画コンテンツの音声・音楽の出力などを行う。
【００１６】
無線電話通信部５５は、基地局３を介して音声通信やパケット通信を行う。例えば、音声通信によって音声を送信する場合、音声入出力部５４のマイクロホンから音声を収音して得られた音声データに対して、符号化や誤り制御などの信号処理を行ったデータを電波に変換して、基地局３へ送信する。また、受話音声は、基地局３からの電波を受信し、電波から電気信号に変換した後、復号や誤り訂正などの信号処理を行い、音声入出力部５４のスピーカから音声を出力する。
【００１７】
記憶部５６は、各種アプリケーションソフトウェアや、ユーザが登録した情報などを記憶する。電話帳データが登録される電話帳データベース５６ａも記憶部５６に含まれる。
【００１８】
電話帳データには、電話通信の電話番号やその電話番号に対応付けられた名称、住所、メールアドレスなどが含まれる。
【００１９】
近距離無線通信部５７は、Ｂｌｕｅｔｏｏｔｈなどの、無線電話通信部５５よりも無線送信電力の小さい電波を用いた無線通信モジュールなどから構成され、対向機器との無線通信を行う。以降では、近距離無線通信部５７はＢｌｕｅｔｏｏｔｈによる接続を行うとして説明する。Ｂｌｕｅｔｏｏｔｈによって対向機器と接続する場合、ＨＦＰによってハンズフリー通話を実現することができ、ＰＢＡＰによって電話帳転送を行うことができる。
【００２０】
ハンズフリー制御部５８は、無線電話通信部５５によって発着信する音声通信を車載機器２から近距離無線通信を介してハンズフリー通話可能とするためのハンズフリー制御を行う。
【００２１】
電話帳転送制御部５９は、近距離無線通信部５７を用いて電話帳データベース５６ａに登録されている電話帳データを対向機器へ転送するための制御を行う。
【００２２】
図３は、本実施形態にかかる携帯電話機１と近距離無線によって接続可能な車載機器２の構成を示したブロック図である。車載機器２は、制御部８１、操作部８２、表示部８３、音声入出力部８４、記憶部８６、近距離無線通信部８７、ハンズフリー制御部８８、電話帳転送制御部８９を有する。
【００２３】
制御部８１は、ＣＰＵ、ＲＯＭ、ＲＡＭなどから構成され、車載機器２全体の制御を行う。
【００２４】
操作部８２は、操作キーまたはタッチパネルなどから構成され、ユーザの操作に応じた信号を制御部８１に入力する。
【００２５】
表示部８３は、液晶ディスプレイや有機ＥＬディスプレイなどによって構成され、制御部８１からの制御に応じて文字や画像を表示する。
【００２６】
音声入出力部８４は、スピーカおよびマイクロホンから成り、音楽コンテンツや動画コンテンツの音声・音楽の出力などを行う。
【００２７】
記憶部８６は、各種アプリケーションソフトウェアや、ユーザが登録した情報などを記憶する。後述する処理によって携帯電話機１から転送される電話帳データが登録される電話帳データベース８６ａも記憶部８６に含まれる。
【００２８】
近距離無線通信部８７は、Ｂｌｕｅｔｏｏｔｈなどの、無線送信電力の小さい電波を用いた無線通信モジュールなどから構成され、対向機器との無線通信を行う。以降では、近距離無線通信部８７はＢｌｕｅｔｏｏｔｈによる接続を行うとして説明する。
【００２９】
ハンズフリー制御部８８は、近距離無線通信部８７を用いた携帯電話機１のハンズフリー通話を行うためのハンズフリー制御を行う。
【００３０】
電話帳転送制御部８９は、近距離無線通信部８７を用いて携帯電話機１から電話帳データを取得するための制御を行う。携帯電話機１から転送された電話帳データは、記憶部８６の電話帳データベース８６ａに格納される。そして、電話帳データベース８６ａに記憶された電話帳データは、例えば操作部８２からの操作に応じて表示部８３に表示されることや、ハンズフリー制御部８８によって携帯電話機１から音声着信が転送されたときに参照されて表示部８３に表示されることがある。
【００３１】
以上のような携帯電話機１と車載機器２とによってハンズフリー接続および電話帳転送接続を確立するときの処理について説明する。携帯電話機１と車載機器２は、近距離無線通信部５７および近距離無線通信部８７によってハンズフリー接続を行うに際して、ハンズフリー機器登録がされている必要がある。ハンズフリー機器登録を行うときには、携帯電話機１は、周囲のハンズフリー機器を探索し、探索されたハンズフリー機器から機器登録するハンズフリー機器を選択し、そのハンズフリー機器が対応しているサービスを確認するとともに、ＰＩＮを交換して認証処理を行う。ハンズフリー機器登録が完了すると、携帯電話機１の記憶部５６に登録されたハンズフリー機器のデバイス名や認証キーなどの機器の属性を示す情報が格納され、ハンズフリー機能のためのセッションを確立することが可能となる。
【００３２】
図４は、携帯電話機１のハンズフリー制御部５８が、ハンズフリー機能のためのセッション確立要求（以降では、ハンズフリー接続要求と称する）を受けたときの処理を示すフローチャートである。まず、ハンズフリー制御部５８は、近距離無線通信部５を介して受信したハンズフリー接続要求を取得する（Ｓ１０１）。そして、ハンズフリー制御部５８は、記憶部５６を参照して、機器登録済みであるか否かを判定する（Ｓ１０２）。既に機器登録されているならば、記憶部５６に、登録機器のデバイス名や認証キーなどの機器の属性を示す情報が記憶されている。ステップＳ１０２で、ハンズフリー制御部５８が、記憶部５６を参照して、機器登録済みのハンズフリー装置からのハンズフリー接続要求ではないと判断した場合（Ｓ１０２のＮｏ）、ハンズフリー制御部５８は、近距離無線通信部５を介して、ハンズフリー接続不可であることを示す応答を当該ハンズフリー装置に対して送信する（Ｓ１０５）。ステップＳ１０５で、ハンズフリー制御部５８からハンズフリー接続不可であることを示す応答が送出された後には、携帯電話機１のハンズフリー制御部５８は、そのハンズフリー装置の機器登録を開始して、機器登録完了後にハンズフリー接続を行うようにしても良い。
【００３３】
一方、ステップＳ１０２で、ハンズフリー制御部５８が、記憶部５６を参照して、機器登録済みのハンズフリー装置からのハンズフリー接続要求であると判断した場合（Ｓ１０２のＹｅｓ）、近距離無線通信部５を介してハンズフリー接続可能であることを示す応答を当該ハンズフリー装置へ送信する（Ｓ１０３）。そして、ハンズフリー接続を確立する（Ｓ１０４）。
【００３４】
図５は、携帯電話機１の電話帳転送制御部５９が、電話帳転送機能のためのセッション確立要求（以降では、電話帳転送接続要求と称する）を受けたときの処理を示すフローチャートである。まず、電話帳転送制御部５９は、近距離無線通信部５を介して車載機器２から受信した電話帳転送接続要求を取得する（Ｓ１２１）。そして、電話帳転送制御部５９は、ハンズフリー接続が確立されたハンズフリー装置から出力された電話帳転送接続要求であるか否かを確認する（Ｓ１２２）。
【００３５】
ステップＳ１２２で、電話帳転送制御部５９が、ハンズフリー接続が確立されたハンズフリー装置からの電話帳転送接続要求ではないと判断した場合（Ｓ１２２のＮｏ）、近距離無線通信部５７を介して、当該ハンズフリー装置に対して、電話帳転送接続不可であることを示す応答信号を送信する（Ｓ１２５）。
【００３６】
それに対してステップＳ１２２で、電話帳転送制御部５９が、ハンズフリー接続が確立されたハンズフリー装置から出力された電話帳転送接続要求であると判断した場合（Ｓ１２２のＹｅｓ）、近距離無線通信部５を介して、当該ハンズフリー装置に対して、電話帳転送接続可能であることを示す応答信号を送信する（Ｓ１２３）。そして、電話帳転送の接続を確立する（Ｓ１２４）。
【００３７】
なお、ハンズフリー接続中でないために、電話帳転送のための接続が確立できなかった場合に、ハンズフリー制御部５８が図４に示した処理によって、ハンズフリー接続可能と判定できればハンズフリー接続を確立し、電話帳転送制御部５９によって電話帳転送接続可能であることをそのハンズフリー装置へ送信して、電話帳転送接続を開始しても良い。
【００３８】
図６は、携帯電話機１と車載機器２との間にハンズフリー接続が確立していない状態から、携帯電話機１から車載機器２への電話帳転送を行うまでの処理を示したシーケンス図である。なお、図６は、携帯電話機１に車載機器２が既に機器登録された状態での処理を示している。
【００３９】
まず、ユーザによって携帯電話機１と車載機器２とのハンズフリー接続を要求する所定の操作が操作部８２を介して車載機器２に入力されると、車載機器２のハンズフリー制御部８８は、携帯電話機１のハンズフリー制御部５８に対してハンズフリー接続要求を送信する（Ｓ１５１）。ハンズフリー制御部５８は、このハンズフリー接続要求を受信し、この要求に含まれる車載機器２を識別する情報が、登録済みの機器として記憶部５６に登録されているかを確認する（Ｓ１５２）。そして、機器登録済みのハンズフリー装置であると確認すると、ハンズフリー接続応答として、ハンズフリー接続可能であることを示す情報をハンズフリー制御部８８へ送信する（Ｓ１５３）。そして、ハンズフリー接続が確立される（Ｓ１５４）。
【００４０】
その後、車載機器２の電話帳転送制御部８９は、携帯電話機１の電話帳転送制御部５９に対して電話帳転送接続要求を送信する（Ｓ１５５）。携帯電話機１の電話帳転送制御部５９は、受信した電話帳転送接続要求に含まれる車載機器２を識別する情報を用いて、ハンズフリー接続中の機器からの電話帳転送接続要求であるか否かを確認する（Ｓ１５６）。そして、ハンズフリー接続中の機器からの電話帳転送接続要求であれば、接続可能であることを示す応答を車載機器２の電話帳転送制御部８９へ送信し（Ｓ１５７）、電話帳転送接続が開始される（Ｓ１５８）。電話帳転送の接続が確立した後には、携帯電話機１の電話帳転送制御部５９が車載機器２の電話帳転送制御部８９から電話帳データ取得要求を受信した場合には（Ｓ１５９）、電話帳データベース５６ａに登録された電話帳データを車載機器２の電話帳転送制御部８９へ転送する（Ｓ１６０）。
【００４１】
以上のように、電話帳転送接続要求を受けた電話帳転送制御部５９は、ハンズフリー接続を既に確立したハンズフリー装置からの電話帳転送のためのセッション確立要求のみを受け付ける。これによって、ハンズフリー接続のセッションが確立されていれば、電話帳転送のためのセッション確立を行う際の機器認証を省略することができる。一方、ハンズフリー接続のセッション確立を行うときには、図４に示したとおり、機器が既に認証され、登録されていることを必須とする。これによって、電話帳転送のためのセッション確立を行う際の機器認証を省略しながらも、セキュリティーは確保することができる。
【００４２】
なお、携帯電話機１の電話帳転送制御部５９が、ハンズフリー接続が確立していない状態では、電話帳転送接続要求を受け付けないよう制御しても良い。言い換えると、この制御を行う電話帳転送制御部５９は、ハンズフリー接続が確立したことを契機として、電話帳転送接続要求の受付待ち状態に移行する。電話帳転送接続要求の受付待ち状態にあるときに、電話帳転送制御部５９は、図４に示したフローチャートに従って電話帳転送接続要求を受け付け、ステップＳ１２１〜Ｓ１２５の処理を行う。それに対して、電話帳転送接続要求の受け付け待ち状態ではないときには、電話帳転送制御部５９は、電話帳転送要求を受信したとしても、ステップＳ１２２に示した判定処理を行わない。
【００４３】
もしくは、携帯電話機１の電話帳転送制御部５９が、ハンズフリー制御部５８によってハンズフリー機器登録された機器が無い状態では、電話帳転送接続要求を受け付けないよう制御しても良い。
【００４４】
また、携帯電話機１の電話帳転送制御部５９は、ハンズフリー機器登録がなされているか否かに応じて電話帳転送のためのセッションを確立するかどうかを判断しても良い。このときの携帯電話機の処理を図７に示す。なお、図７の図４と同じステップは、同じ記号で示して詳細な説明を省略する。
【００４５】
携帯電話機１の電話帳転送制御部５９は、電話帳転送接続要求を受けると（Ｓ１２１）、この電話帳転送接続要求に含まれるハンズフリー装置を識別する情報の情報を用いて、記憶部５６を参照し、この電話帳転送接続要求を出力したハンズフリー装置がハンズフリー機器登録済みであるか否かを判定する（Ｓ２２２）。ハンズフリー機器登録済みである場合（Ｓ２２２のＹｅｓ）、電話帳転送接続可能であることをそのハンズフリー装置へ応答する（Ｓ１２３）。このように、ハンズフリー機器登録済みか否かに応じて電話帳転送機能の接続可否を判定すると、ハンズフリー接続中でなくてもハンズフリー機器登録がされていれば、電話帳転送機能のためのセッション確立を行うことができる。
【００４６】
また、電話帳転送やハンズフリー接続を行う近距離無線通信よりも上位層のプロトコル確立時にもハンズフリー装置の認証処理を行っても良い。例えば、電話帳転送やハンズフリー接続を行うＢｌｕｅｔｏｏｔｈよりも上位層のプロトコルであるＯＢＥＸのプロトコル確立時にそのプロトコル層において認証処理を行う。このように上位層のプロトコル確立時にも認証処理を行うことによって、セキュリティーをより強固にすることができる。
【００４７】
以上説明したような実施形態の構成をとることで、ハンズフリー機能を有する機器と接続する際に、ハンズフリー機能について機器登録を行っていれば、電話帳転送機能については、セキュリティーを確保したまま機器登録に関するユーザ操作を削減することができる。
【００４８】
なお、上記実施形態に限定されることはなく、本発明の要旨を逸脱しない範囲において、適宜変更しても良い。例えば、携帯電話機と車載機器を例にして説明したが、ハンズフリー機能と電話帳転送機能とを有する機器であれば良く、パーソナルコンピュータやＰＤＡ（Personal Digital Assistant）であっても良い。
【図面の簡単な説明】
【００４９】
【図１】本発明の実施形態に係る携帯電話機とそれに無線接続する車載機器との関係を示した図。
【図２】本発明の実施形態に係る携帯電話機の構成を示すブロック図。
【図３】本発明の実施形態に係る携帯電話機に無線接続する車載機器の構成を示すブロック図。
【図４】本発明の実施形態に係る携帯電話機がハンズフリー機能のためのセッション確立要求を受信したときの処理を示すフローチャート。
【図５】本発明の実施形態に係る携帯電話機が電話帳転送機能のためのセッション確立要求を受信したときの処理を示すフローチャート。
【図６】本発明の実施形態に係る携帯電話機が車載機器との間にハンズフリー接続を確立していない状態から、携帯電話機から車載機器への電話帳転送を行うまでの処理を示したシーケンス図。
【図７】本発明の他の実施形態に係る携帯電話機が電話帳転送機能のためのセッション確立要求を受信したときの処理を示すフローチャート。
【符号の説明】
【００５０】
１  携帯電話機、２  車載機器、３  基地局、４  交換機、５１  制御部、５２  操作部、５３  表示部、５４  音声入出力部、５５  無線電話通信部、５６  記憶部、５６ａ  電話帳データベース、５７  近距離無線通信部、５８  ハンズフリー制御部、５９  電話帳転送制御部、８１  制御部、８２  操作部、８３  表示部、８４  音声入出力部、８６  記憶部、８６ａ  電話帳データベース、８７  近距離無線通信部、８８  ハンズフリー制御部、８９  電話帳転送制御部
【図１】
2010109929.tif 000003
【図２】
2010109929.tif 000004
【図３】
2010109929.tif 000005
【図４】
2010109929.tif 000006
【図５】
2010109929.tif 000007
【図６】
2010109929.tif 000008
【図７】
2010109929.tif 000009